(57)【特許請求の範囲】
【請求項１】
アプリケーションに対応するライセンス情報を管理する管理センタから配布されるライセンス情報に基づき情報処理装置におけるアプリケーションの実行を管理するライセンス情報管理システムであって、
前記管理センタは、対象とするアプリケーションのライセンス情報を分割して複数の割符を生成するとともに、該生成した複数の割符を前記情報処理装置に配布するものであり、
前記情報処理装置は、前記配布される複数の割符から選択した１又は複数の割符に基づいて前記対象とするアプリケーションのライセンスの認証を行うものであり、
前記管理センタから配布され、前記情報処理装置が選択する１又は複数の割符は、前記対象とするアプリケーションに対する実行権限に応じて予め定められた数の割符からなる割符体として編成されており、
前記対象とするアプリケーションに対する全ての実行権限に対応して定められた割符体を編成する割符の数に比べて割符の数の小さい割符体は、前記対象とするアプリケーションの実行権限に所定の制限が課されており、
前記ライセンス情報は、ライセンスに関する所定の情報を暗号化して所定の秘匿性の付与されたビット列として構成されている
ことを特徴とするライセンス情報管理システム。
【請求項２】
前記配布された複数の割符から前記対象とするアプリケーションのライセンスの認証に必要とされる割符体を分離するとともに、前記ライセンスの認証に用いられない割符から再配布用の割符体を編成する再配布用割符体編成手段をさらに備える
請求項１に記載のライセンス情報管理システム。
【請求項３】
前記情報処理装置は、前記管理センタとの間のデータ通信を介して前記ライセンスの認証に用いられる割符体を取得する
請求項２に記載のライセンス情報管理システム。
【請求項４】
前記データ通信が前記管理センタ及び前記情報処理装置とそれぞれ通信可能な携帯用記憶装置を介して行われる
請求項３に記載のライセンス情報管理システム。
【請求項５】
前記再配布用割符体編成手段は前記情報処理装置に設けられており、
前記情報処理装置は、前記再配布用割符体編成手段により編成した再配布用の割符体を前記携帯用記憶装置に移動可能に構成されている
請求項４に記載のライセンス情報管理システム。
【請求項６】
前記再配布用割符体編成手段は前記携帯用記憶装置に設けられており、
前記携帯用記憶装置は、前記対象とするアプリケーションのライセンスの認証に必要とされる割符体の分離、及び前記再配布用割符体編成手段により編成した再配布用の割符体を保持するとともに、前記ライセンスの認証に必要とされる割符体を前記情報処理装置に伝送する
請求項４に記載のライセンス情報管理システム。
【請求項７】
前記携帯用記憶装置は、前記情報処理装置とは異なる他の情報処理装置と通信可能に、かつ、前記再配布用の割符体を前記他の情報処理装置に配布可能に構成されている
請求項５又は６に記載のライセンス情報管理システム。
【請求項８】
前記携帯用記憶装置は、前記再配布用の割符体から前記対象とするアプリケーションのライセンスの認証に必要とされる割符からなる新たな再配布用の割符体を編成可能に構成されている
請求項７に記載のライセンス情報管理システム。
【請求項９】
前記他の情報処理装置は、前記再配布用の割符体又は前記新たな再配布用の割符体に基づいて前記対象とするアプリケーションのライセンスの認証を行う
請求項８に記載のライセンス情報管理システム。
【請求項１０】
前記再配布用の割符体又は前記新たな再配布用の割符体が、前記対象とするアプリケーションに対する全ての実行権限に対応して定められた割符体を編成する割符の数に比べて割符の数が小さいとき、前記対象とするアプリケーションの実行権限に所定の制限が課される
請求項９に記載のライセンス情報管理システム。
【請求項１１】
前記他の情報処理装置は、前記携帯用記憶装置から配布された再配布用の割符体の前記携帯用記憶装置以外への伝送が禁止される構成となっている
請求項７〜１０のいずれか一項に記載のライセンス情報管理システム。
【請求項１２】
前記携帯用記憶装置は、前記新たな再配布用の割符体に用いられなかった割符を配布不能の状態で保持し、該配布不能の状態で保持している割符に基づいて、配布は可能であるものの、一時的な制限を伴う割符体である一時割符体を生成する
請求項８に記載のライセンス情報管理システム。
【請求項１３】
前記一時割符体は、一時的に利用される情報処理装置に移動されるものであり、
前記一時的に利用される情報処理装置は、前記対象とするアプリケーションのライセンスを一定の期間だけ認証する
請求項１２に記載のライセンス情報管理システム。
【請求項１４】
前記情報処理装置は、移動体としての車両に搭載されている
請求項１〜１３のいずれか一項に記載のライセンス情報管理システム。
【請求項１５】
アプリケーションに対応するライセンス情報を管理する管理センタから配布されたライセンス情報に基づき情報処理装置におけるアプリケーションの実行を管理するライセンス情報管理方法であって、
前記管理センタにて、対象とするアプリケーションのライセンス情報を分割して複数の割符を生成するとともに、該生成した複数の割符を前記情報処理装置に配布するステップと、
前記情報処理装置にて、前記配布された複数の割符から選択した１又は複数の割符に基づいて前記対象とするアプリケーションのライセンスの認証を行うステップとを備えるものであり、
前記管理センタから配布され、前記情報処理装置が選択する１又は複数の割符を、前記対象とするアプリケーションに対する実行権限に応じて予め定められた数の割符からなる割符体として編成し、
前記対象とするアプリケーションに対する全ての実行権限に対応して定められた割符体を編成する割符の数に比べて割符の数の小さい割符体は、前記対象とするアプリケーションの実行権限に所定の制限が課されており、
前記ライセンス情報を、ライセンスに関する所定の情報を暗号化して所定の秘匿性の付与されたビット列として構成した
ことを特徴とするライセンス情報管理方法。
【請求項１６】
前記配布された複数の割符から前記対象とするアプリケーションのライセンスの認証に必要とされる割符体を分離するとともに、前記ライセンスの認証に用いられない割符から再配布用の割符体を編成する再配布用割符体編成ステップを含む
請求項１５に記載のライセンス情報管理方法。
【請求項１７】
前記情報処理装置は、前記管理センタとの間のデータ通信を介して前記ライセンスの認証に用いられる割符体を取得する
請求項１６に記載のライセンス情報管理方法。
【請求項１８】
前記データ通信を前記管理センタ及び前記情報処理装置とそれぞれ通信可能な携帯用記憶装置を介して行う
請求項１７に記載のライセンス情報管理方法。
【請求項１９】
前記情報処理装置には前記再配布用割符体編成ステップが設けられており、
前記情報処理装置は、前記再配布用割符体編成ステップにより編成した再配布用の割符体を前記携帯用記憶装置に移動させるステップを更に備える
請求項１８に記載のライセンス情報管理方法。
【請求項２０】
前記携帯用記憶装置には前記再配布用割符体編成ステップが設けられており、
前記携帯用記憶装置は、前記対象とするアプリケーションのライセンスの認証に必要とされる割符体の分離、及び前記再配布用割符体編成ステップにより編成した再配布用の割符体を保持するステップとともに、前記ライセンスの認証に必要とされる割符体を前記情報処理装置に伝送するステップを更に備える
請求項１８に記載のライセンス情報管理方法。
【請求項２１】
前記携帯用記憶装置は、前記情報処理装置とは異なる他の情報処理装置と通信可能に構成されており、前記再配布用の割符体を前記他の情報処理装置に配布するステップを備える
請求項１９又は２０に記載のライセンス情報管理方法。
【請求項２２】
前記携帯用記憶装置には、前記再配布用の割符体から前記対象とするアプリケーションのライセンスの認証に必要とされる割符からなる新たな再配布用の割符体を編成するステップが設けられている
請求項２１に記載のライセンス情報管理方法。
【請求項２３】
前記他の情報処理装置では、前記再配布用の割符体又は前記新たな再配布用の割符体に基づいて前記対象とするアプリケーションのライセンスの認証が行われる
請求項２２に記載のライセンス情報管理方法。
【請求項２４】
前記再配布用の割符体又は前記新たな再配布用の割符体が、前記対象とするアプリケーションに対する全ての実行権限に対応して定められた割符体を編成する割符の数に比べて割符の数が小さいとき、前記対象とするアプリケーションの実行権限に所定の制限が課される
請求項２３に記載のライセンス情報管理方法。
【請求項２５】
前記他の情報処理装置では、前記携帯用記憶装置から配布された再配布用の割符体の前記携帯用記憶装置以外への伝送が禁止される
請求項２１〜２４のいずれか一項に記載のライセンス情報管理方法。
【請求項２６】
前記携帯用記憶装置は、前記新たな再配布用の割符体に用いられなかった割符を配布不能の状態で保持するとともに、該配布不能の状態で保持している割符に基づいて、配布は可能であるものの、一時的な制限を伴う割符体である一時割符体を生成するステップを備える
請求項２２に記載のライセンス情報管理方法。
【請求項２７】
前記一時割符体を一時的に利用される情報処理装置に移動させ、
前記一時的に利用される情報処理装置に前記対象とするアプリケーションのライセンスを一定の期間だけ認証させる
請求項２６に記載のライセンス情報管理方法。
【請求項２８】
前記情報処理装置を移動体としての車両に搭載させている
請求項１５〜２７のいずれか一項に記載のライセンス情報管理方法。
【発明の詳細な説明】
【技術分野】
【０００１】
本発明は、付与されたライセンス情報に基づいて情報処理装置などにおけるアプリケーションの実行を管理するライセンス情報管理システム、及びライセンス情報管理方法に関する。
【背景技術】
【０００２】
周知のように、携帯端末や移動端末などの各種情報処理装置にあっては、そこに搭載されたアプリケーションの実行が、当該アプリケーションの実行権限を示すものとしてアプリケーションに付属して配布されるライセンス情報に基づくライセンスの認証によって管理されている。このようなライセンス認証によれば、例えば、料金が支払われることによって発行されるライセンス情報をアプリケーションを実行する情報処理装置に保存し、情報処理装置でのアプリケーションの実行の都度、その保存されたライセンス情報に基づいてライセンスの認証を行うといった管理が実現されるようになる。
【０００３】
そして、こうしたライセンスの認証によるアプリケーションの実行管理の技術の一例が特許文献１に記載されている。特許文献１に記載のライセンス情報管理システムでは、携帯用記憶装置と情報処理装置との間でデジタル情報からなるアプリケーション（コンテンツ）をコピー可能にしているとともに、当該アプリケーションについてのライセンス情報も携帯用記憶装置と情報処理装置との間でコピー又は移動可能にしている。そして、アプリケーションを実行する情報処理装置では、携帯用記憶装置からコピー又は移動されたライセンス情報に基づくライセンスの認証によって、アプリケーションの実行を管理するようになっている。
【先行技術文献】
【特許文献】
【０００４】
【特許文献１】特表２００７−５２９８３５号公報
【発明の概要】
【発明が解決しようとする課題】
【０００５】
ところで、特許文献１に記載の管理システムをはじめ、従来のこの種のシステムでは、アプリケーションの実に際して少なくとも１個のライセンス情報が必要になる。しかも、近年のアプリケーションの配布量の増加に伴って、アプリケーションに付随して配布されるライセンス情報の数は増加の一途を辿っている。これに加え、アプリケーションの多機能化は、提供する機能をライセンスの種類により可変とするなど、ライセンス情報の複雑化も進みつつある。このため、このようなライセンス情報の増加やライセンス内容の複雑化に伴うライセンス情報の管理負荷が無視できない状況になりつつあり、こうしたライセンス情報の管理負荷軽減のための対策が切望されている。
【０００６】
本発明は、このような実情に鑑みてなされたものであり、その目的は、ライセンス情報の認証にかかる柔軟性を高めることにより、ライセンス情報の管理にかかる負荷を増加させることなくその効率的な運用を図ることのできるライセンス情報管理システム及びライセンス情報管理方法を提供することにある。
【課題を解決するための手段】
【０００７】
以下、上記課題を解決するための手段及びその作用効果を記載する。
請求項１に記載の発明は、アプリケーションに対応するライセンス情報を管理する管理センタから配布されるライセンス情報に基づき情報処理装置におけるアプリケーションの実行を管理するライセンス情報管理システムであって、前記管理センタは、対象とするアプリケーションのライセンス情報を分割して複数の割符を生成するとともに、該生成した複数の割符を前記情報処理装置に配布するものであり、前記情報処理装置は、前記配布される複数の割符から選択した１又は複数の割符に基づいて前記対象とするアプリケーションのライセンスの認証を行うものであり、前記管理センタから配布され、前記情報処理装置が選択する１又は複数の割符は、前記対象とするアプリケーションに対する実行権限に応じて予め定められた数の割符からなる割符体として編成されており、前記対象とするアプリケーションに対する全ての実行権限に対応して定められた割符体を編成する割符の数に比べて割符の数の小さい割符体は、前記対象とするアプリケーションの実行権限に所定の制限が課されており、前記ライセンス情報は、ライセンスに関する所定の情報を暗号化して所定の秘匿性の付与されたビット列として構成されていることを要旨とする。
【０００８】
請求項１５に記載の発明は、アプリケーションに対応するライセンス情報を管理する管理センタから配布されたライセンス情報に基づき情報処理装置におけるアプリケーションの実行を管理するライセンス情報管理方法であって、前記管理センタにて、対象とするアプリケーションのライセンス情報を分割して複数の割符を生成するとともに、該生成した複数の割符を前記情報処理装置に配布するステップと、前記情報処理装置にて、前記配布された複数の割符から選択した１又は複数の割符に基づいて前記対象とするアプリケーションのライセンスの認証を行うステップとを備えるものであり、前記管理センタから配布され、前記情報処理装置が選択する１又は複数の割符を、前記対象とするアプリケーションに対する実行権限に応じて予め定められた数の割符からなる割符体として編成し、前記対象とするアプリケーションに対する全ての実行権限に対応して定められた割符体を編成する割符の数に比べて割符の数の小さい割符体は、前記対象とするアプリケーションの実行権限に所定の制限が課されており、前記ライセンス情報を、ライセンスに関する所定の情報を暗号化して所定の秘匿性の付与されたビット列として構成した
ことを要旨とする。
【０００９】
このような構成や方法によれば、１個のライセンス情報から複数の割符が生成されることとなるためライセンス付与に対する自由度が向上する。すなわち、発行されたライセンス情報が１個の場合であれ、複数の割符にすることにより、１個のライセンス情報を複数の情報として取り扱うことができるようにもなるため、ライセンスの認証にかかる柔軟性を高めることができるようになる。また、１個のライセンス情報を複数の情報として取り扱うような場合、管理センタにより管理するライセンス情報の数を抑制することも可能となり、管理センタなどによるライセンスの管理にかかる負荷の増大が抑えられるようにもなる。
【００１０】
また、配布された複数の割符から選択される１又は複数の割符、すなわち配布された複数の割符の一部に基づいてライセンスの認証ができるようになるため、これによってもライセンスの認証にかかる自由度が向上する。
【００１３】
また、このような構成や方法によれば、１個のライセンス情報に基づいて１個以上の割符から編成される割符体により実行権限に応じたライセンスの認証ができるようになる。
【００１５】
ところで、例えば、ビット符号からなるライセンス情報が分割された場合、割符体としてはそれを構成するビット数が多い、すなわち割符体として大きいものが、小さいものよりもより高いセキュリティを有することとが一般的である。
【００１６】
すなわちこのような構成や方法によれば、割符体の大小に応じて実行制限が可変とされるライセンスの認証ができるようになる。そしてこのように、小さい割符体の実行権限に制限を付与することにより、セキュリティの高い場合には制限の少ない実行権が与えられ、逆に、セキュリティの低い場合には制限の多い実行権が与えられるようになり、セキュリティの高さに応じて実行権の制限が設定できるようになるため、自ずと割符の利用に対する適正化が図られるようになる。なお大きい割符体というのは、割符体を構成するビット数の多いものを含み、割符の数が多い割符体も含まれる。
【００１７】
請求項２に記載の発明は、請求項１に記載のライセンス情報管理システムにおいて、前記配布された複数の割符から前記対象とするアプリケーションのライセンスの認証に必要とされる割符体を分離するとともに、前記ライセンスの認証に用いられない割符から再配布用の割符体を編成する再配布用割符体編成手段をさらに備えることを要旨とする。
【００１８】
請求項１６に記載の発明は、請求項１５に記載のライセンス情報管理方法において、前記配布された複数の割符から前記対象とするアプリケーションのライセンスの認証に必要とされる割符体を分離するとともに、前記ライセンスの認証に用いられない割符から再配布用の割符体を編成する再配布用割符体編成ステップを含むことを要旨とする。
【００１９】
このような構成や方法によれば、１個のライセンス情報に基づく場合であれ、複数の割符から割符体を複数編成することができるようになる。これにより、各割符体を所定の実行権限に対応させるようにすることなどにより、もともとのライセンス情報よりもライセンスの認証態様を拡大することができるようにもなる。
【００２０】
請求項３に記載の発明は、請求項２に記載のライセンス情報管理システムにおいて、前記情報処理装置は、前記管理センタとの間のデータ通信を介して前記ライセンスの認証に用いられる割符体を取得することを要旨とする。
【００２１】
請求項１７に記載の発明は、請求項１６に記載のライセンス情報管理方法において、前記情報処理装置は、前記管理センタとの間のデータ通信を介して前記ライセンスの認証に用いられる割符体を取得することを要旨とする。
【００２２】
このような構成や方法によれば、インターネットなどのデータ通信を介して割符体（割符）を取得することができるので、割符の取得の自由度が高められるようになる。
請求項４に記載の発明は、請求項３に記載のライセンス情報管理システムにおいて、前記データ通信が前記管理センタ及び前記情報処理装置とそれぞれ通信可能な携帯用記憶装置を介して行われることを要旨とする。
【００２３】
請求項１８に記載の発明は、請求項１７に記載のライセンス情報管理方法において、前記データ通信を前記管理センタ及び前記情報処理装置とそれぞれ通信可能な携帯用記憶装置を介して行うことを要旨とする。
【００２４】
このような構成や方法によれば、携帯用記憶装置を介して割符体が情報処理装置に伝送されるようになるため、割符体を予め携帯用記憶装置に記憶させておくようなこともできるようになる。これにより、ライセンス情報（割符、割符体）の配布の利便性が高められ
るようにもなる。
【００２５】
請求項５に記載の発明は、請求項４に記載のライセンス情報管理システムにおいて、前記再配布用割符体編成手段は前記情報処理装置に設けられており、前記情報処理装置は、前記再配布用割符体編成手段により編成した再配布用の割符体を前記携帯用記憶装置に移動可能に構成されていることを要旨とする。
【００２６】
請求項１９に記載の発明は、請求項１８に記載のライセンス情報管理方法において、前記情報処理装置には前記再配布用割符体編成ステップが設けられており、前記情報処理装置は、前記再配布用割符体編成ステップにより編成した再配布用の割符体を前記携帯用記憶装置に移動させるステップを更に備えることを要旨とする。
【００２７】
このような構成や方法によれば、再配布用の割符体を携帯用記憶装置に移動させることができるので、当該再配布用の割符体の持ち運びの自由度が高められるようになる。これにより、再配布用の割符体の利用可能性の向上が図られるようになる。
【００２８】
請求項６に記載の発明は、請求項４に記載のライセンス情報管理システムにおいて、前記再配布用割符体編成手段は前記携帯用記憶装置に設けられており、前記携帯用記憶装置は、前記対象とするアプリケーションのライセンスの認証に必要とされる割符体の分離、及び前記再配布用割符体編成手段により編成した再配布用の割符体を保持するとともに、前記ライセンスの認証に必要とされる割符体を前記情報処理装置に伝送することを要旨とする。
【００２９】
請求項２０に記載の発明は、請求項１８に記載のライセンス情報管理方法において、前記携帯用記憶装置には前記再配布用割符体編成ステップが設けられており、前記携帯用記憶装置は、前記対象とするアプリケーションのライセンスの認証に必要とされる割符体の分離、及び前記再配布用割符体編成ステップにより編成した再配布用の割符体を保持するステップとともに、前記ライセンスの認証に必要とされる割符体を前記情報処理装置に伝送するステップを更に備えることを要旨とする。
【００３０】
このような構成や方法によれば、ライセンスの認証に要する割符体を携帯用記憶装置により持ち運ぶことができるようになるとともに、再配布用の割符体にあってもそれが編成される携帯用記憶装置に保持されるので再配布用の割符体の持ち運びの自由度が高められる。
【００３１】
請求項７に記載の発明は、請求項５又は６に記載のライセンス情報管理システムにおいて、前記携帯用記憶装置は、前記情報処理装置とは異なる他の情報処理装置と通信可能に、かつ、前記再配布用の割符体を前記他の情報処理装置に配布可能に構成されていることを要旨とする。
【００３２】
請求項２１に記載の発明は、請求項１９又は２０に記載のライセンス情報管理方法において、前記携帯用記憶装置は、前記情報処理装置とは異なる他の情報処理装置と通信可能に構成されており、前記再配布用の割符体を前記他の情報処理装置に配布するステップを備えることを要旨とする。
【００３３】
このような構成や方法によれば、再配布用の割符体を携帯用記憶装置から他の情報処理装置に配布することができるので、他の情報処理装置における再配布用の割符体の利用を容易にすることができるようになる。
【００３４】
請求項８に記載の発明は、請求項７に記載のライセンス情報管理システムにおいて、
前記携帯用記憶装置は、前記再配布用の割符体から前記対象とするアプリケーションのライセンスの認証に必要とされる割符からなる新たな再配布用の割符体を編成可能に構成されていることを要旨とする。
【００３５】
請求項２２に記載の発明は、請求項２１に記載のライセンス情報管理方法において、前記携帯用記憶装置には、前記再配布用の割符体から前記対象とするアプリケーションのライセンスの認証に必要とされる割符からなる新たな再配布用の割符体を編成するステップが設けられていることを要旨とする。
【００３６】
このような構成や方法によれば、携帯用記憶装置においてもライセンスの認証に要する割符体を編成することができるようになる。これにより再配布用の割符体の分割により編成される新たな１又は複数の割符ぞれぞれの利用による利用範囲の拡大が図られるようになる。
【００３７】
請求項９に記載の発明は、請求項８に記載のライセンス情報管理システムにおいて、前記他の情報処理装置は、前記再配布用の割符体又は前記新たな再配布用の割符体に基づいて前記対象とするアプリケーションのライセンスの認証を行うことを要旨とする。
【００３８】
請求項２３に記載の発明は、請求項２２に記載のライセンス情報管理方法において、前記他の情報処理装置では、前記再配布用の割符体又は前記新たな再配布用の割符体に基づいて前記対象とするアプリケーションのライセンスの認証が行われることを要旨とする。
【００３９】
このような構成や方法によれば、再配布用の割符体に基づくライセンスの認証が他の情報処理装置において行えるようになるため、分割されたライセンス情報（割符）の用途の拡大がより一層図られるようになる。
【００４０】
請求項１０に記載の発明は、請求項９に記載のライセンス情報管理システムにおいて、前記再配布用の割符体又は前記新たな再配布用の割符体が、前記対象とするアプリケーションに対する全ての実行権限に対応して定められた割符体を編成する割符の数に比べて割符の数が小さいとき、前記対象とするアプリケーションの実行権限に所定の制限が課されることを要旨とする。
【００４１】
請求項２４に記載の発明は、請求項２３に記載のライセンス情報管理方法において、前記再配布用の割符体又は前記新たな再配布用の割符体が、前記対象とするアプリケーションに対する全ての実行権限に対応して定められた割符体を編成する割符の数に比べて割符の数が小さいとき、前記対象とするアプリケーションの実行権限に所定の制限が課されることを要旨とする。
【００４２】
このような構成や方法によれば、再配布用の割符体に基づく場合であれ、割符体の大小に応じて実行権限の制限が可変とされるライセンスの認証ができるようになる。これにより、セキュリティの高さに比例するビットの数（大きさ）に対応するかたちに実行権限の制限の度合いを設定することができるようになり、割符の利用に対する適正化が図られるようになる。
【００４３】
請求項１１に記載の発明は、請求項７〜１０のいずれか一項に記載のライセンス情報管理システムにおいて、前記他の情報処理装置は、前記携帯用記憶装置から配布された再配布用の割符体の前記携帯用記憶装置以外への伝送が禁止される構成となっていることを要旨とする。
【００４４】
請求項２５に記載の発明は、請求項２１〜２４のいずれか一項に記載のライセンス情報管理方法において、前記他の情報処理装置では、前記携帯用記憶装置から配布された再配布用の割符体の前記携帯用記憶装置以外への伝送が禁止されることを要旨とする。
【００４５】
このような構成や方法によれば、他の情報処理装置からの再配布用の割符体の伝送が禁止されるので、再配布用の割符体が他に利用されたり、不明になるようなことが防止され、ライセンスの認証の適正な管理を維持することができるようになる。
【００４６】
請求項１２に記載の発明は、請求項８に記載のライセンス情報管理システムにおいて、前記携帯用記憶装置は、前記新たな再配布用の割符体に用いられなかった割符を配布不能の状態で保持し、該配布不能の状態で保持している割符に基づいて、配布は可能であるものの、一時的な制限を伴う割符体である一時割符体を生成することを要旨とする。
【００４７】
請求項２６に記載の発明は、請求項２２に記載のライセンス情報管理方法において、前記携帯用記憶装置は、前記新たな再配布用の割符体に用いられなかった割符を配布不能の状態で保持するとともに、該配布不能の状態で保持している割符に基づいて、配布は可能であるものの、一時的な制限を伴う割符体である一時割符体を生成するステップを備えることを要旨とする。
【００４８】
このような構成や方法によれば、携帯用記憶装置に保持されている配布できない割符により、その割符の種類や数に応じたライセンスの権限に基づいて生成される時限的な一過性の割符体によりアプリケーションの一時的な利用を可能にすることができる。これにより、ライセンスの認証について柔軟性を与えつつ、ライセンスの適正な管理をも可能とする。また携帯用記憶装置などに残されている割符であれ有効に利用することで、新たなライセンス情報を管理センタが管理しなければならなくなることなどが抑制されるようになる。
【００４９】
請求項１３に記載の発明は、請求項１２に記載のライセンス情報管理システムにおいて、前記一時割符体は、一時的に利用される情報処理装置に移動されるものであり、前記一時的に利用される情報処理装置は、前記対象とするアプリケーションのライセンスを一定の期間だけ認証することを要旨とする。
【００５０】
請求項２７に記載の発明は、請求項２６に記載のライセンス情報管理方法において、前記一時割符体を一時的に利用される情報処理装置に移動させ、前記一時的に利用される情報処理装置に前記対象とするアプリケーションのライセンスを一定の期間だけ認証させることを要旨とする。
【００５１】
このような構成や方法によれば、一時的であれ、一定の期間だけ情報処理装置によりアプリケーションが使用可能になるので、ライセンスの認証の柔軟性が高められる。また、一定の期間の経過後はアプリケーションを使用できなくなるので、ライセンスの認証の適正な管理を維持することができる。
【００５２】
請求項１４に記載の発明は、請求項１〜１３のいずれか一項に記載のライセンス情報管理システムにおいて、前記情報処理装置は、移動体としての車両に搭載されていることを要旨とする。
【００５３】
請求項２８に記載の発明は、請求項１５〜２７のいずれか一項に記載のライセンス情報管理方法において、前記情報処理装置を移動体としての車両に搭載させていることを要旨とする。
【００５４】
このような構成や方法によれば、車両に対するアプリケーションのライセンス管理負荷
が軽減されるようになる。また、１個のライセンス情報を複数の割符に分割可能となることから、分割された割符の複数の車両への配布によれば複数の車両に対するライセンス管理負荷を軽減させることができるようになる。特に、複数の車両への配布によれば、アプリケーションの利便性が高められるようになるとともに、運転者などのユーザとしても複数の車両で同様な運転環境を維持ができるようになればその利便性も高くなる。
【図面の簡単な説明】
【００５５】
【図１】本発明に係るライセンス情報管理システムを具体化した第１の実施形態について、その概略構成を示すブロック図。
【図２】同ライセンス情報管理システムにおいて、ライセンス情報を分割して生成される割符について示す概念図。
【図３】同ライセンス情報管理システムにおいて、複数の割符を区分して一部の割符からなる割符体を構成する態様を示す概念図。
【図４】同ライセンス情報管理システムにおいて、割符の数により実行権を判定する工程を示すフローチャート。
【図５】同ライセンス情報管理システムにおいて、再配布用の割符を区分する態様を示す概念図。
【図６】同ライセンス情報管理システムにおいて、保持専用の割符の利用態様を示す概念図。
【図７】（ａ）〜（ｈ）は、同ライセンス情報管理システムにおいて、１個のライセンス情報から生成される割符の区分態様を概略的に示す概略図。
【図８】同ライセンス情報管理システムの動作を示すシーケンス図。
【図９】同ライセンス情報管理システムの動作を示すシーケンス図。
【図１０】同ライセンス情報管理システムの動作を示すシーケンス図。
【図１１】同ライセンス情報管理システムの動作を示すシーケンス図。
【図１２】同ライセンス情報管理システムの動作を示すシーケンス図。
【図１３】（ａ）〜（ｈ）は、本発明に係るライセンス情報管理システムを具体化した第２の実施形態について、１個のライセンス情報から生成される割符とその利用態様を模式的に示す模式図。
【図１４】本発明に係るライセンス情報管理システムを具体化した第３の実施形態について、その概略構成を示すブロック図。
【図１５】本発明に係るライセンス情報管理システムにおいて、実行権情報を分割して生成される割符の他の態様について示す概念図。
【発明を実施するための形態】
【００５６】
（第１の実施形態）
本発明にかかるライセンス情報管理システムを具体化した第１の実施形態について、図１〜７に従って説明する。
【００５７】
まず、本実施形態のライセンス情報管理システムの構成について説明する。
図１に示すように、ライセンス情報管理システムは、配信アプリケーション１１１及び実行権情報１１２の配信を管理する管理センタ１Ｃと、管理センタ１Ｃから配信アプリケーション１１１及び実行権情報１１２の配信を受ける移動体としての車両２Ａとを備える。また、ライセンス情報管理システムは、車両２Ａから再配布用実行権情報２２０を配布される携帯用記憶装置としてのモバイルデバイス３Ａと、モバイルデバイス３Ａから再配布用実行権情報３１０を配布される移動体としての車両４Ａと、モバイルデバイス３Ａから一時的な一時実行権情報３１２を配布される移動体としての車両５Ａとを備える。
【００５８】
管理センタ１Ｃには、配信アプリケーション１１１及び実行権情報１１２を管理する配信アプリケーション管理部１１と、実行権情報１１２を生成する実行権生成部１２と、車
両２Ａなどとの間でデータ通信を行うための配信用通信部１３とが設けられている。
【００５９】
実行権生成部１２は、ユーザによる配信アプリケーション１１１の購入などに伴い、同配信アプリケーション１１１に付与されるライセンス（実行権限）に基づいてユーザの識別番号などを含む１個のライセンス情報１２０を生成する。配信アプリケーション１１１には、全ての機能を利用できる全機能モードや、一部の機能のみが利用できる簡易版モードなどの複数の実行モードが用意されており、これらの実行モードがライセンス（実行権限）の内容により切換可能になっている。このことから、本実施形態では配信アプリケーション１１１のライセンスとして、実行モードを全機能モードにするライセンス、及び実行モードを簡易版モードにするライセンスの少なくとも一方が付与される。ライセンス情報１２０は、ライセンスに関する所定の情報を暗号化して所定の秘匿性（セキュリティー）の付与されたビット列（ビット長）として構成される。なお、配信アプリケーション１１１には、当該配信アプリケーション１１１を識別するための識別番号であるアプリケーションＩＤが含まれている。
【００６０】
更に、実行権生成部１２は、図２に示すように、ライセンス情報１２０を所定の規則に則って分割して複数、例えば１０個の割符１〜１０を生成する。例えば、割符１は、図２の一点鎖線の囲み内に示すように、ライセンス情報１２０の一部である、１０分割されたライセンス情報１２０のうちの１個と、その１個がライセンス情報１２０のどの部分に対応するのかなど、ライセンス情報１２０との関連性を示す情報などからなるヘッダとにより構成されている。なお、割符１以外の各割符２〜１０についても、割符１と同様に、ライセンス情報１２０の一部と、ライセンス情報１２０との関連を示すヘッダとから構成されていることから、その構成についての説明を割愛する。すなわち各割符１〜１０のヘッダは、それを参照することにより、１０個の割符１〜１０からそれらの分割元である１個のライセンス情報１２０を再生することができる。このように構成される各割符１〜１０は、その大きさ（ビット長）が、ライセンス情報１２０の略１０分の１の大きさ（ビット長）に、ヘッダの大きさ（ビット長）が加えられた大きさとなる。なお、各割符１〜１０は、略同じ大きさ（ビット長）を有するように生成されるが、ライセンス情報１２０を均等分割ができないような場合などもあることから、所定のルールに基づいて分割されていれば、それらの大きさに多少の違いがあってもよい。そして生成された複数の割符１〜１０は、配信アプリケーション１１１に対応する１組の実行権情報１１２として配信アプリケーション管理部１１に保持される。
【００６１】
ところで一般的に、暗号化されたデータの秘匿性はビット長が長くなれば高くなり、短くなれば低くなる。そのため、各割符１〜１０のそれぞれの秘匿性は、ライセンス情報１２０に付与された秘匿性に比べて低下する。すなわち、１０個の割符１〜１０を１まとめにすれば１個のライセンス情報１２０と同様の秘匿性が確保される一方、割符の数が減ること応じてその秘匿性が低下する。このことから、本実施形態では高い秘匿性の要求される全機能モードのライセンス（実行権限）に対応する割符の数は、簡易版モードのライセンス（実行権限）に対応する割符の数よりも多くなるように設定される。
【００６２】
配信アプリケーション管理部１１は、配信アプリケーション１１１とともに、同配信アプリケーション１１１に関連付けられた実行権情報１１２を管理・保持している。配信アプリケーション管理部１１は、ユーザからの配信要求などに応じて配信アプリケーション１１１を配信する際、配信アプリケーション１１１とともに、同配信アプリケーション１１１に関連付けられた実行権情報１１２であって、当該ユーザのライセンス情報１２０に基づき生成された実行権情報１１２を配信する。なお、本実施形態の配信アプリケーション１１１は、１０個の割符１〜１０から構成される実行権情報１１２に基づいてライセンスの認証が行われる。例えば、配信アプリケーション１１１は、１０個の割符１〜１０の全部、もしくは一部、例えば３個や４個の割符によりライセンスが認証される。本実施形
態では、配信アプリケーション１１１には、全機能モードには４個の割符が必要とされることや、簡易版モードには３個の割符が必要とされることが予め設定されている。すなわち、全機能モードに対応する４個の割符からなる割符体よりも大きさの小さい３個の割符からなる割符体は、所定の制限の課されている簡易版モードに対応するようになっている。
【００６３】
配信用通信部１３は、車両２Ａとの間での無線通信を含む通信により各種のデータ通信を可能とする。このデータ通信により、管理センタ１Ｃは、車両２Ａから伝送された配信アプリケーション１１１の配信要求を受信するとともに、車両２Ａには配信アプリケーション１１１や実行権情報１１２を伝送することができるようになっている。
【００６４】
車両２Ａは、ユーザの所有車であって、ナビゲーションシステムなどの情報処理装置としての車載機２Ｂが搭載されている。例えば、車載機２Ｂは、図示しない全地球測位システム（ＧＰＳ：Ｇｌｏｂａｌ  Ｐｏｓｉｔｉｏｎｉｎｇ  Ｓｙｓｔｅｍ）等を利用して車両２Ａの現在位置を検出する。そして、検出された現在位置に基づいて記憶されている地図情報を参照することにより、ユーザ（運転者）に走行目的地までの車両２Ａの走行経路等の案内を行う。また車載機２Ｂには、図示しない入出力装置が設けられており、ユーザからの操作情報がスイッチなどの入力装置を介して入力されるとともに、上記経路案内などの情報が画面やスピーカなどの出力装置を介して出力される。さらに、車載機２Ｂには、各種演算処理を実行するＣＰＵ、各種制御プログラムを格納するＲＯＭ、データ格納やプログラム実行のためのワークエリアとして利用されるＲＡＭ、メモリ（不揮発性メモリを含む記憶装置）等を有するマイクロコンピュータ（図示略）が設けられている。そして、このマイクロコンピュータにより車載機２Ｂから提供されるナビゲーションシステムの機能などにかかる各種の情報処理が行われる。
【００６５】
車載機２Ｂには、管理センタ１Ｃやモバイルデバイス３Ａと無線通信によるデータ通信が可能な通信部２０と、配信アプリケーション１１１を実行可能に保持している配信アプリケーション実行部２１とが設けられている。また車載機２Ｂには、配布された実行権情報１１２から再配布用実行権情報２２０を再編成する再配布用割符体編成手段としての再配布用実行権生成部２２が設けられている。なお、配信アプリケーション実行部２１や再配布用実行権生成部２２は、それらの機能を発揮するための処理が車載機２Ｂのマイクロコンピュータにおいて所定のプログラムが実行されることにより行われるようになっている。
【００６６】
通信部２０は、ユーザの操作などに基づく配信アプリケーション１１１の配信要求を管理センタ１Ｃに送信することができるとともに、管理センタ１Ｃが送信した配信アプリケーション１１１や実行権情報１１２を受信することができる。そして、通信部２０は、受信した配信アプリケーション１１１及び実行権情報１１２を配信アプリケーション実行部２１に伝達する。また、通信部２０は、再配布用実行権情報２２０をモバイルデバイス３Ａに送信することができる。
【００６７】
配信アプリケーション実行部２１は、マイクロコンピュータにて配信アプリケーション１１１を実行させることを通じて当該配信アプリケーション１１１の機能をユーザなどに提供する。配信アプリケーション実行部２１には、図示しない記憶装置などにより管理センタ１Ｃから配信された配信アプリケーション１１１と実行権情報２１１とが保持されているとともに、実行権情報２１１に基づいて配信アプリケーション１１１のライセンスを認証する実行権判定部２１２が設けられている。配信アプリケーション実行部２１は、ユーザからの指示などにより配信アプリケーション１１１を実行させる際、実行権判定部２１２にてライセンスの認証を行い、その認証の結果、ライセンスが認証された場合、配信アプリケーション１１１を実行させるようになっている。一方、配信アプリケーション実
行部２１は、ライセンスの認証の結果、ライセンスが認証されない場合、配信アプリケーション１１１を実行させないようになっている。なお、配信アプリケーション実行部２１は、通信部２０から受け取った実行権情報１１２を、一旦、そのまま、実行権情報２１１として保持することができる。
【００６８】
再配布用実行権生成部２２は、ユーザからの指示などに基づき実行権情報２１１から再配布用実行権情報２２０を生成する。なお本実施形態では、所有車（車両２Ａ）では、配信アプリケーション１１１の全ての機能が利用できるように設定される。そこで、再配布用実行権生成部２２は、配信アプリケーション１１１の全ての機能を利用できるライセンスの認証のため、少なくとも４個の割符から編成される割符体を確保するようにしている。すなわち、図３に示すように、再配布用実行権生成部２２は、１０個の割符１〜１０からなる実行権情報２１１（１１２）から、配信アプリケーション１１１の全ての機能を利用できるライセンスの認証に必要な４個の割符１〜４から編成される第１の割符体を分割し、確保する。さらに、再配布用実行権生成部２２は、第１の割符体に含まれない残りの６つの割符５〜１０を配布可能な再配布用実行権情報２２０、すなわち再配布用の第２の割符体として編成し、確保する。なお、再配布用実行権生成部２２は再配布用実行権情報２２０からモバイルデバイス３Ａに移動されるようになっているので、それが移動（配布）された後には、再配布用実行権生成部２２には残らないようになっている。これにより、再配布用実行権情報２２０の不正な配布などを防止し、ライセンスの適正な利用が図られるようになる。
【００６９】
なお、再配布用実行権生成部２２にて再配布用実行権情報２２０が編成されることにより、配信アプリケーション実行部２１には、実行権情報２１１として第１の割符体（４個の割符１〜４）のみが保持される。このように、配信アプリケーション実行部２１の実行権情報２１１には、１０個の割符１〜１０からなる実行権情報１１２が保持されたり、４個の割符１〜４からなる第１の割符体が保持されたりする。
【００７０】
実行権判定部２１２は、配信アプリケーション１１１のライセンスの認証を、配信アプリケーション１１１に設定されているライセンスの認証に必要とされる割符の数と、実行権情報２１１に含まれる割符の数とを比べることに基づいて行われるライセンスの認証処理により行う。図４に示すように、ライセンスの認証処理が開始されると、実行権判定部２１２は、実行権情報２１１に保持されている割符の数が、配信アプリケーション１１１の全ての機能の実行に必要な数以上であるか否かを判断する（図４のステップＳ１０）。割符の数が全ての機能の実行に必要な数以上であると判断された場合（図４のステップＳ１０でＹＥＳ）、実行権判定部２１２は、配信アプリケーション１１１の実行モードを全機能モードに設定するライセンスの認証をする（図４のステップＳ１１）。そして、ライセンスの認証処理が終了される。
【００７１】
一方、実行権情報２１１に含まれている割符の数が全ての機能の実行に必要な数に不足すると判断された場合（図４のステップＳ１０でＮＯ）、実行権判定部２１２は、実行権情報２１１に含まれている割符の数が、簡易版の実行に必要な数以上あるか否かを判断する（図４のステップＳ１２）。実行権情報２１１に含まれている割符の数が簡易版の実行に必要な数以上であると判断された場合（図４のステップＳ１２でＹＥＳ）、実行権判定部２１２は、配信アプリケーション１１１の実行モードを簡易版モードに設定するライセンスの認証をする（図４のステップＳ１３）。そして、ライセンスの認証処理が終了される。
【００７２】
また、実行権情報２１１に含まれている割符の数が簡易版の実行に必要な数に不足すると判断された場合（図４のステップＳ１２でＮＯ）、実行権判定部２１２は、実行権情報２１１に含まれている割符の数が一時実行に必要な数（例えば２個）以上あるか否かを判
断する（図４のステップＳ１４）。実行権情報２１１に含まれている割符の数が一時実行に必要な数以上あると判断された場合（図４のステップＳ１４でＹＥＳ）、実行権判定部２１２は、配信アプリケーション１１１を一時実行させるように設定する（図４のステップＳ１５）とともに、一時実行に用いられる一時実行権を生成する（図４のステップＳ１６）。そして、ライセンスの認証処理が終了される。ところで一時実行権は、配信アプリケーション１１１のライセンスを一時的に認証させることのできる実行権である。例えば、一時実行権は、実行権情報に含まれている２個の割符と、当該車両２Ａの情報などに基づいて各別に生成等される２個の割符とにより、一過性の４個の割符として編成され、この４個の割符により、一時的に配信アプリケーション１１１のライセンスが認証されるようになっている。しかしこの４個の割符は一過性（時限的）であるため、所定の期間の経過により配信アプリケーション１１１のライセンスの認証は無効となるようになっている。
【００７３】
一方、実行権情報２１１に含まれている割符の数が一時実行に必要な数に不足すると判断された場合（図４のステップＳ１４でＮＯ）、実行権判定部２１２は、配信アプリケーション１１１のライセンスを認証せず（図４のステップＳ１７）、ライセンスの認証処理を終了する。なお、このライセンスの認証処理は、配信アプリケーション１１１のライセンスの認証に必要なものであるため、車両２Ａのみならず、車両４Ａや車両５Ａにおいても同様に行われるものである。
【００７４】
すなわち、このようなライセンスの認証により、車両２Ａの実行権判定部２１２は、実行権情報２１１に含まれる割符の数が配信アプリケーション１１１の全機能モードに必要な４個含以上含まれているか否かを判断する。そして、実行権情報２１１に含まれている割符の数が４個かそれ以上である場合、車両２Ａでは、配信アプリケーション１１１の全機能モードのライセンスが認証される。一方、実行権情報１１２を受信していないなど、同実行権情報２１１に含まれている割符の数が４個未満である場合、車両２Ａでは、全機能モードのライセンスは認証されない。なお、割符が３個の場合、車両２Ａでは、配信アプリケーション１１１の限定版モードのライセンスが認証されるようになり、割符が２個の場合、車両２Ａでは、一時的に配信アプリケーション１１１のライセンスが認証されるようになっている。
【００７５】
図１に示すように、モバイルデバイス３Ａには、各車両２Ａ，４Ａ，５Ａとの間で無線通信によるデータ通信が可能な通信部３０と、配布された再配布用実行権情報２２０から新たな再配布用実行権情報３１０を編成したり一時実行権情報３１２を生成したりする再配布用割符体編成手段としての再配布用実行権生成部３１とが設けられている。なお、再配布用実行権生成部３１は、それらの機能を発揮するための処理がモバイルデバイス３Ａに搭載されているマイクロコンピュータにおいて行われるようになっている。
【００７６】
通信部３０は、ユーザの操作などに基づき再配布用実行権情報２２０の配布要求を車両２Ａに送信することができるとともに、車両２Ａが送信した再配布用実行権情報２２０を受信することができる。通信部３０は、受信した再配布用実行権情報２２０を再配布用実行権生成部３１に伝達する。また、通信部３０は、再配布用実行権情報３１０を車両４Ａに送信すること、及び一時実行権情報３１２を車両５Ａに送信することができる。
【００７７】
再配布用実行権生成部３１は、ユーザからの指示などに基づき再配布用実行権情報２２０から新たな再配布用実行権情報３１０を編成するとともに、限定実行権情報３１１を編成してから一時実行権情報３１２を生成することができるようになっている。なお本実施形態では、非所有車（車両４Ａ）にあっても、配信アプリケーション１１１の全ての機能を利用するように設定されていることから、再配布用実行権生成部３１は、配信アプリケーション１１１に全機能モードのライセンスを認証するため、４個の割符から編成される
割符体を確保する。このことから、図５に示すように、再配布用実行権生成部３１は、６個の割符５〜１０からなる再配布用実行権情報２２０から、配信アプリケーション１１１の全ての機能を利用できるライセンスの認証に必要な４個の割符５〜８から編成される再配布可能な再配布用実行権情報３１０、すなわち再配布用の第３の割符体を分割し、確保する。さらに、再配布用実行権生成部３１は、第３の割符体に含まれない残りの２個の割符９，１０を配布不能な限定実行権情報３１１、すなわち配布不能な第４の割符体として編成し、確保する。
【００７８】
再配布用実行権情報３１０（第３の割符体）は、再配布用実行権生成部３１から車両４Ａに移動されるようになっているので、それが配布された後には、再配布用実行権生成部３１には残らないようになっている。また、再配布用実行権情報３１０（第３の割符体）は、それが配布されたモバイルデバイス３Ａに戻すことができるようになっている。これにより、再配布用実行権情報３１０の不正な配布などを防止し、ライセンスの適正な利用が図られる。
【００７９】
なお、再配布用実行権情報３１０及び限定実行権情報３１１は、それを配布した車両２Ａにも戻すことができる。すなわち、再配布用実行権生成部３１は、再配布用実行権情報２２０を配信した車両２Ａと、再配布用実行権情報２２０とを関連付けて管理している。
【００８０】
また、再配布用実行権生成部３１は、配布不能な限定実行権情報３１１（第４の割符体）に基づいて配布可能な一時割符体としての一時実行権情報３１２、すなわち第５の割符体を生成することができる。一時実行権情報３１２は、レンタカーなどの一時的に利用される車両用に生成される実行権情報であり、例えば、利用可能期限などを含むように生成される。なお、利用可能期限は、ユーザが設定したり、レンタカーとの通信によりレンタカーから取得したりすることができる。図６に示すように、一時実行権情報３１２には、限定実行権情報３１１を編成する２個の割符９，１０は含まれておらず、２個の割符９，１０に基づいて生成された２個の割符９α，１０αにより編成されている。これにより、モバイルデバイス３Ａには、２個の割符９，１０からなる限定実行権情報３１１が保持され続けられるようになっているものの、一時実行権情報３１２に与えた利用可能期限の間、その２個の割符９，１０（限定実行権情報３１１）から他の一時実行権情報３１２を生成することができないようになっている。
【００８１】
図１に示すように、車両４Ａは、ユーザの家族の乗用車などユーザの非所有車である。車両４Ａには、車両２Ａに搭載されている車載機２Ｂと同様の情報処理装置としての車載機４Ｂが搭載されている。車載機４Ｂには、車両２Ａに搭載されている通信部２０と同様の、通信部４０と、車両２Ａに搭載されている配信アプリケーション実行部２１と同様の、配信アプリケーション実行部４１とが設けられている。なお、車載機４Ｂには、車両２Ａの車載機２Ｂに搭載されていた再配布用実行権生成部２２の図示を省略する。以下の説明では、車両４Ａについて、車両２Ａと同様の構成についてはその説明を割愛する。なお、車両４Ａには、ライセンスの認証はされないものの、配信アプリケーション１１１は既に配信されているものとする。
【００８２】
通信部４０は、再配布用実行権情報３１０をモバイルデバイス３Ａから受信することができるようになっているとともに、モバイルデバイス３Ａに実行権情報を要求したり、実行権情報を返送したりすることができるようにもなっている。
【００８３】
配信アプリケーション実行部４１は、図示しない記憶装置などに配信アプリケーション１１１と再配布用実行権情報３１０とが保持されるとともに、再配布用実行権情報３１０に基づいて配信アプリケーション１１１のライセンスを認証する実行権判定部４１０が設けられている。なお、実行権判定部４１０も、車両２Ａの車載機２Ｂに搭載されている実
行権判定部２１２と同様のライセンスの認証処理を行う。すなわち、配信アプリケーション実行部４１は、配信アプリケーション１１１を実行させる指示をユーザなどから受けたとき、実行権判定部４１０にてライセンスの認証を行い、その認証の結果、ライセンスが認証された場合、配信アプリケーション１１１を実行させるようになっている。一方、配信アプリケーション実行部４１は、ライセンスの認証の結果、ライセンスが認証されない場合、配信アプリケーション１１１を実行させないようになっている。なお、図５に示したように、再配布用実行権情報３１０には４個の割符５〜８が含まれているため、実行権判定部４１０では全機能モードのライセンスが認証される。一方、実行権情報の配布を受けていないなどのため再配布用実行権情報３１０を保持していないとき、実行権判定部４１０ではライセンスが認証されない。
【００８４】
また、配信アプリケーション実行部４１は、配布された再配布用実行権情報３１０を再配布不能に保持するようになっているため、この再配布用実行権情報３１０を更に他の車両などに配布することはできない。その一方、配布された再配布用実行権情報３１０を、その配布元であるモバイルデバイス３Ａには返還することができるようになっている。すなわち、配信アプリケーション実行部４１は、データ通信の際、通信先の特定に一般的に用いられるデバイス認識番号などにより、再配布用実行権情報３１０とその再配布用実行権情報３１０の配布元であるモバイルデバイス３Ａとを関連付けて管理している。これにより、再配布用実行権情報３１０の更なる不正な配布などを防止し、ライセンスの適正な利用が図られる。
【００８５】
図１に示すように、車両５Ａは、レンタカーなど一時利用を目的とした車両である。車両５Ａには、車両４Ａに搭載されていた車載機４Ｂと同様の情報処理装置としての車載機５Ｂが搭載されているので、その構成についての説明を割愛する。なお、車両４Ａには、ライセンスの認証はされないものの、配信アプリケーション１１１は既に配信されているものとする。
【００８６】
ところで、一時利用を目的とした車両５Ａには、ユーザの指示などに基づいてモバイルデバイス３Ａから一時実行権情報３１２（第５の割符体）が伝送される。そして車両５Ａは、ライセンスの認証処理により、配信アプリケーション１１１が一時実行に設定され、同車両５Ａの利用期間に限り有効な一時実行権が生成される。これにより、配信アプリケーション１１１のライセンスが車両５Ａの利用期間に限り一過性で認証されるようになっている。
【００８７】
次に、上記のように構成されるライセンス情報管理システムの作用について、図７〜１２を参照して説明する。
まず、図７に基づいて、割符の分割及び配布について説明する。図７（ａ），（ｂ）に示すように、ライセンス情報１２０から生成された１０個の割符１〜１０からなる実行権情報１１２が管理センタ１Ｃから車両２Ａ（所有車）に配布される。図７（ｂ），（ｃ）に示すように、実行権情報１１２は、車両２Ａにて４個の割符１〜４からなる第１の割符体と、６つの割符５〜１０からなる第２の割符体とに分割編成される。そして第１の割符体は、実行権情報２１１として車両２Ａに保持される一方、第２の割符体は、再配布用実行権情報２２０として、モバイルデバイス３Ａに移動される。モバイルデバイス３Ａに移動された第２の割符体は、図７（ｃ），（ｄ）に示すように、車両４Ａ（非所有車）に配布される４個の割符５〜８からなる第３の割符体と、限定的に用いられる２個の割符９，１０からなる第４の割符体とに分割編成される。すなわち第３の割符体は、図７（ｅ）に示すように、新たな再配布用実行権情報３１０として、車両４Ａに移動される一方、第４の割符体は、図７（ｆ）に示すように、限定実行権情報３１１としてモバイルデバイス３Ａに配布不能に保持される。図７（ｇ），（ｈ）に示すように、モバイルデバイス３Ａは、第４の割符体に基づいて利用期間の限定された一時実行権情報３１２（第５の割符体）
を生成して車両５Ａ（一時利用車）に配布するとともに、同利用期間中、第４の割符体を一時実行権情報３１２を生成できない態様で保持する。
【００８８】
続いて、このライセンス情報管理システムにて行われる主な処理について、図８〜図１１を参照して説明する。
まず、車両２Ａに配信アプリケーション１１１が導入される動作について説明する。図８に示すように、所有車（車両２Ａ）の車載機２Ｂによる配信アプリケーション１１１の購入により（図８のステップＳ２０）、ユーザ情報や、選択されたライセンスの形態などを含む配信アプリケーション１１１の配信要求が車載機２Ｂから管理センタ１Ｃに伝送される（図８のステップＮ２０）。前記配信要求を受信した管理センタ１Ｃは、ユーザ情報などに対応するライセンス情報１２０に基づいて実行権情報１１２を配信可能に準備する（図８のステップＳ２１）とともに、同実行権情報１１２と配信アプリケーション１１１とから車載機２Ｂに配信する配信アプリケーションパッケージを準備する（図８のステップＳ２２）。そして、準備された配信アプリケーションパッケージが管理センタ１Ｃから車載機２Ｂに配信される（図８のステップＮ２１）。車載機２Ｂは、配信された配信アプリケーションパッケージを受信してから、配信アプリケーション１１１のインストール処理などを行い、同配信アプリケーション１１１を配信アプリケーション実行部２１にて実行可能な態様に保持させる（図８のステップＳ２３）。これにより、車両２Ａに配信アプリケーション１１１が導入される。
【００８９】
次に、車両２Ａにて配信アプリケーション１１１が実行される動作について説明する。図９に示すように、配信アプリケーション実行部２１は、配信アプリケーション１１１の起動がユーザの操作などにより指示されると（図９のステップＳ３０）、配信アプリケーション１１１を起動させる処理を行う（図９のステップＮ３０）。この起動処理により、配信アプリケーション１１１の有しているアプリケーションＩＤが車載機２Ｂに通知される（図９のステップＳ３１，Ｎ３１）。それから配信アプリケーション実行部２１は、実行権情報２１１に基づいて（図９のステップＮ３１，Ｎ３２）、通知されたアプリケーションＩＤに対応するライセンスの認証処理を行う（図９のステップＳ３２）。そしてライセンスが認証されると配信アプリケーション実行部２１は、ライセンスの認証による配信アプリケーションの実行許可（実行モード）に基づいて配信アプリケーション１１１を実行する（図９のステップＮ３４，Ｓ３３）。これにより、配信アプリケーション実行部２１にて配信アプリケーション１１１が実行される。
【００９０】
続いて、車両２Ａにて生成される再配布用実行権情報２２０がモバイルデバイス３Ａに移動される動作について説明する。図１０に示すように、配信アプリケーション実行部２１にて再配布用実行権情報２２０の編成が開始されると（図１０のステップＳ４０）、配信アプリケーション実行部２１は、配信アプリケーション１１１からアプリケーションＩＤを取得する（図１０のステップＮ４０，Ｎ４１）。また、配信アプリケーション実行部２１は、モバイルデバイス３ＡからモバイルデバイスＩＤを取得する（図１０のステップＮ４２，Ｎ４３）とともに、実行権情報２１１を取得する（図１０のステップＮ４４，Ｎ４５）。そして、取得されたアプリケーションＩＤと、モバイルデバイスＩＤと、実行権情報２１１とが再配布用実行権生成部２２に通知されることにより、再配布用実行権生成部２２では再配布用実行権情報２２０の編成処理が行われる（図１０のステップＮ４６，Ｓ４１）。再配布用実行権情報２２０が編成されたことが配信アプリケーション実行部２１に通知されると（図１０のステップＮ４７）、配信アプリケーション実行部２１は、再配布用実行権情報２２０をモバイルデバイスＩＤを取得したモバイルデバイス３Ａに配布（移動）させる（図１０のステップＮ４８）。なお、本実施形態では、再配布用実行権情報２２０は、実行権情報２１１を分割して編成されるため、そこに配布先のモバイルデバイスＩＤなどが含まれないが、配布先のモバイルデバイスＩＤが含まれるように編成されてもよい。
【００９１】
次に、モバイルデバイス３Ａから車両４Ａ（非所有車）の車載機４Ｂに再配布用実行権情報３１０が移動される動作について説明する。図１１に示すように、ユーザの操作などにより車両４Ａの車載機４Ｂに配信アプリケーション１１１が導入される（図１１のステップＳ５０）と、ユーザの操作などに基づいて車載機４Ｂからモバイルデバイス３Ａに、配信アプリケーション１１１のアプリケーションＩＤなどを含む実行権情報要求が通知される（図１１のステップＮ５０）。実行権情報の要求を受けたモバイルデバイス３Ａは、新たな再配布用実行権情報３１０を編成するなどして配布の準備をしてから（図１１のステップＳ５１）、同再配布用実行権情報３１０を車載機４Ｂに配布（移動）する（図１１のステップＮ５１）。車載機４Ｂに移動された新たな再配布用実行権情報３１０は、同車載機４Ｂに保存される。これにより、車両４Ａでは配信アプリケーション１１１を全機能モードで利用することが可能になる。
【００９２】
また、モバイルデバイス３Ａから一時利用車である車両５Ａの車載機５Ｂに一時実行権情報が配布される動作について説明する。図１２に示すように、ユーザの操作などにより車両５Ａの車載機５Ｂに配信アプリケーション１１１が導入される（図１２のステップＳ６０）と、車載機５Ｂからモバイルデバイス３Ａに、配信アプリケーション１１１のアプリケーションＩＤなどを含む実行権情報要求が通知される（図１２のステップＮ６０）。実行権情報の要求を受けたモバイルデバイス３Ａは、限定実行権情報３１１を編成するなどするとともに、同編成された限定実行権情報３１１に基づいて一時実行権情報３１２を生成する（図１２のステップＳ６１，Ｓ６２）。そして、モバイルデバイス３Ａは、一時実行権情報３１２を車載機５Ｂに配布する。車載機５Ｂに移動された一時実行権情報３１２は、同車載機５Ｂに保存される。なお、一時実行権情報３１２には、一時的な認証に必要とされる情報、例えば車両５Ａの情報に基づき各別に生成される割符などが更に付加されるなどして車載機５Ｂに保存されてもよい。これにより、車両５Ａでは、所定の期間中、配信アプリケーション１１１の所定の機能を利用することが可能になる。
【００９３】
以上説明したように、本実施形態のライセンス情報管理システムによれば、以下に列記するような効果が得られるようになる。
（１）１個のライセンス情報１２０から複数の割符１〜１０を生成したのでライセンス付与に対する自由度が向上する。すなわち、発行されたライセンス情報１２０が１個の場合であれ、１０個の割符にすることにより、１個のライセンス情報１２０を複数の情報として取り扱うことができるようにもなるため、ライセンスの認証にかかる柔軟性を高めることができるようになる。また、１個のライセンス情報１２０を複数の情報として取り扱うような場合、管理センタ１Ｃにより管理するライセンス情報１２０の数を抑制することも可能となり、管理センタ１Ｃなどによるライセンスの管理にかかる負荷の増大が抑えられるようにもなる。
【００９４】
（２）また、配布された複数の割符１〜１０から選択される１又は複数の割符、すなわち配布された複数の割符の一部に基づいてライセンスの認証ができるようになるため、これによってもライセンスの認証にかかる自由度が向上する。より具体的には、１個のライセンス情報１２０に基づく１個以上の割符から編成される割符体（第１〜４の割符体）に基づいて実行権限に応じたライセンスの認証ができるようになる。
【００９５】
（３）ビット符号からなるライセンス情報１２０が分割された場合、割符体としてはそれを構成するビット数が多い、すなわち割符体として大きいものが、小さいものよりもより高いセキュリティを有することとが一般的である。
【００９６】
そこで割符体の大小に応じて実行制限が可変とされるライセンスの認証ができるようにした。例えば４個の割符からなる割符体に比べて、大きさの小さい３個や２個の割符から
なる割符体の実行権限に制限を付与することにより、大きいことからセキュリティ（秘匿性）の高い割符体には制限の少ない実行権が与えられ、逆に、小さいことからセキュリティ（秘匿性）の低い割符体には制限の多い実行権が与えられるようになる。このように、セキュリティの高さに応じて実行権の制限が設定できるようになるため、自ずと割符の利用に対する適正化が図られるようになる。なお大きい割符体というのは、割符体を構成するビット数の多いものを含み、割符の数が多い割符体も含まれる。
【００９７】
（４）１個のライセンス情報１２０に基づく場合であれ、複数の割符１〜１０から割符体を複数編成することができるようになる。これにより、各割符体を所定の実行権限に対応させるようにすることなどにより、もともとのライセンス情報１２０よりもライセンスの認証態様を拡大することができるようにもなる。
【００９８】
（５）第２の割符体（再配布用実行権情報２２０）をモバイルデバイス３Ａに移動させることができるので、当該第２の割符体の持ち運びの自由度が高められるようになる。これにより、第２の割符体の利用可能性の向上が図られるようになる。
【００９９】
（６）第３の割符体（再配布用実行権情報３１０）をモバイルデバイス３Ａから他の車載機４Ｂに配布することができるので、他の車載機４Ｂにおける第３の割符体の利用を容易にすることができるようになる。
【０１００】
（７）モバイルデバイス３Ａにおいてライセンスの認証に要する第３の割符体などを編成できるようにした。これにより第２割符体の分割により編成される新たな１又は複数の割符それぞれからなる新たな第３の割符体などの利用による利用範囲の拡大が図られるようになる。
【０１０１】
（８）第３の割符体に基づくライセンスの認証が他の車載機４Ｂにおいて行えるようになるため、分割されたライセンス情報１２０（割符）の用途の拡大がより一層図られるようになる。
【０１０２】
（９）第３の割符体に基づく場合であれ、割符体の大小に応じて実行権限の制限が可変とされるライセンスの認証ができるようになる。これにより、セキュリティの高さに比例するビットの数（大きさ）に対応するかたちに実行権限の制限の度合いを設定することができるようになり、割符の利用に対する適正化が図られるようになる。
【０１０３】
（１０）車載機４Ｂからの第３の割符体の伝送が禁止されるので、第３の割符体が他に利用されたり、不明になるようなことが防止され、ライセンスの認証の適正な管理を維持することができるようになる。
【０１０４】
（１１）モバイルデバイス３Ａに保持されている配布できない割符９，１０（第４の割符体）により、その割符の種類や数に応じたライセンスの権限に基づいて生成される時限的な一過性の第５の割符体（一時実行権情報３１２）によりアプリケーションの一時的な利用を可能にすることができる。これにより、ライセンスの認証について柔軟性を与えつつ、ライセンスの適正な管理をも可能とする。またモバイルデバイス３Ａに残されている割符９，１０であれ有効に利用することで、新たなライセンス情報１２０を管理センタ１Ｃが管理しなければならなくなることなどが抑制されるようになる。
【０１０５】
（１２）一時的であれ、一定の期間だけ車両５Ａの車載機５Ｂにより配信アプリケーション１１１が使用可能になるので、ライセンスの認証の柔軟性が高められる。また、一定の期間の経過後は配信アプリケーション１１１を使用できなくなるので、ライセンスの認証の適正な管理を維持することができる。
【０１０６】
（１３）これらのことから、管理センタ１Ｃにおける、車両２Ａ，４Ａ，５Ａに対する配信アプリケーション１１１のライセンス管理負荷が軽減されるようになる。すなわち１個のライセンス情報１２０を複数の割符１〜１０に分割可能となることから、分割された割符の複数の車両２Ａ，４Ａ，５Ａへの配布により、複数の車両２Ａ，４Ａ，５Ａに対するライセンス管理負荷が軽減される。また、複数の車両２Ａ，４Ａ，５Ａへの配布によれば、配信アプリケーション１１１の利便性が高められるようになるとともに、運転者などのユーザとしても複数の車両２Ａ，４Ａ，５Ａで同様な運転環境を維持ができるようになりそのような利便性も高くなる。
【０１０７】
（第２の実施形態）
本発明にかかるライセンス情報管理システムを具体化した第２の実施形態について、図１３に従って説明する。なお、本実施形態では、生成される割符の大きさが異なることが、第１の実施形態と相違するので、以下では、第１の実施形態に対して相違する点を主に説明する。
【０１０８】
図１３（ａ），（ｂ）に示すように、管理センタ１Ｃは、ライセンス情報１２０から２個の割符１Ａと、１個の割符１Ｂとからなる実行権情報６０を生成する。２個の割符１Ａは、それぞれ同じ大きさに生成されている一方、１個の割符１Ｂは、割符１Ａとは異なる大きさであって割符１Ａよりも小さい大きさに生成されている。そして配信アプリケーション１１１には、割符１Ａが全機能モード用に設定され、割符１Ａより大きさの小さい割符１Ｂが簡易版モード用に設定される。これにより、図１３（ｂ）に示すように、この実行権情報６０の配信された車両２Ａでは、１個の割符１Ａにより、配信アプリケーション１１１が全機能モードで利用可能となる。一方、図１３（ｂ），（ｄ）に示すように、車両２Ａにて実行権情報６０から１個の割符１Ａ（実行権情報６１）が分離されることにより１個の割符１Ａと１個の割符１Ｂとを有する再配布用実行権情報６２が編成され、モバイルデバイス３Ａに移動される。モバイルデバイス３Ａでは、図１３（ｄ），（ｅ），（ｆ）に示すように、移動された再配布用実行権情報６２が、１個の割符１Ａと１個の割符１Ｂとに分離されて、１個の割符１Ａからなる新たな再配布用実行権情報６３と、１個の割符１Ｂからなる限定実行権情報６４とが編成される。新たな再配布用実行権情報６３は、図１３（ｅ）に示すように、車両４Ａに配布され、配布された車両４Ａにて、配信アプリケーション１１１の全機能モードのライセンスの認証に用いられる。図１３（ｆ），（ｈ）に示すように、限定実行権情報６４からは、１個の割符１Ｂに基づいて作成された割符１Ｂαからなる一時実行権情報６５が生成されて、車両５Ａに配布される。配布された一時実行権情報６５は、車両５Ａにて、配信アプリケーション１１１の利用可能期間制限などの所定の制限を課されたライセンスの認証に用いられる。図１３（ｇ）に示すように、一時実行権情報６５を生成させた限定実行権情報６４は、一時実行権情報６５の生成を一時的に制限されるなどしつつもモバイルデバイス３Ａに保持され続ける。
【０１０９】
以上説明したように、本実施形態のライセンス情報管理システムによれば、上記第１の実施形態に記載の（１）〜（１３）の効果に加えて、以下に列記するような効果が得られるようになる。
【０１１０】
（１４）割符の大きさを変化させておくことにより、ライセンスの認証の自由度を確保しつつ、割符の大きさにより割符の利用条件を設定するなどしてライセンスの利用の適切性を高めることができるようになる。
【０１１１】
（第３の実施形態）
本発明にかかるライセンス情報管理システムを具体化した第３の実施形態について、図１４に従って説明する。なお、本実施形態では、実行権情報１１２がモバイルデバイス３
Ａを介して車両２Ａに配布されることが、第１の実施形態と相違する。そこで、本実施形態では、第１の実施形態に対して相違する点を主に説明することとし、同様の構成については同じ符号を付してその説明を割愛する。
【０１１２】
モバイルデバイス３Ａは、配信アプリケーション１１１を保持するともに、実行権情報１１２を一時的に保持可能になっている。そして、一旦モバイルデバイス３Ａに保持された、配信アプリケーション１１１が車両２Ａに配布される。また、再配布用実行権生成部３１は、車両２Ａで配信アプリケーション１１１が全機能モードで用いられることが設定されることにもとづいて、実行権情報１１２から４個の割符１〜４からなる第１の割符体を生成することができるようになっている。そこで、車両２Ａへの配信アプリケーション１１１の配布に伴って、第１の割符体を生成して、車両２Ａに配信する。車両２Ａでは、配信された第１の割符体を実行権情報２１１として保持することにより、車両２Ａにおいて配信アプリケーション１１１を全機能モードで実行させることのできるライセンスの認証が行えるようにしている。
【０１１３】
なお、第１の割符体が車両２Ａに配布（移動）された後、再配布用実行権生成部３１には、第１の実施形態と同様に、６個の割符５〜１０（第２の割符体）が保持されるので、再配布用実行権生成部３１は、車両４Ａへの第３の割符体や、制限付きの第４の割符体などを編成することができる。
【０１１４】
以上説明したように、本実施形態のライセンス情報管理システムによれば、上記第１の実施形態に記載の（１）〜（４），（６）〜（１３）の効果に加えて、以下に列記するような効果が得られるようになる。
【０１１５】
（１５）モバイルデバイス３Ａを介して第１の割符体が車載機２Ｂに伝送されるようになるため、第１の割符体を予めモバイルデバイス３Ａに記憶させておくようなこともできるようになる。これにより、実行権情報１１２（割符、割符体）の配布の利便性が高められるようにもなる。
【０１１６】
（１６）ライセンスの認証に要する第１の割符体をモバイルデバイス３Ａにより持ち運ぶことができるようになるとともに、第２の割符体にあってもそれを第３や第４の割符体に編成することができるモバイルデバイス３Ａに保持されるので第２〜４の割符体の持ち運びの自由度が高められる。
【０１１７】
なお上記各実施形態は、以下の態様で実施することもできる。
・上記各実施形態では、車両４Ａ（非所有車）には、再配布用実行権情報３１０（第３の割符体）が伝送される場合について例示したが、これに限らず、車両（非所有車）には第２の割符体が伝送されてもよい。これによっても、車両（非所有車）にて配信アプリケーションのライセンスを認証することができる。
【０１１８】
・上記各実施形態では、ライセンス情報管理システムは、管理センタ１Ｃと、車両２Ａと、モバイルデバイス３Ａと、車両４Ａと、車両５Ａとを備える場合について例示した。しかしこれに限らず、ライセンス情報管理システムには、少なくとも管理センタと１個の車両（所有車）とが設けられていればよい。そして、必要に応じて、モバイルデバイスや、車両（非所有車）や、車両（一時利用車）を更に設けるようにしてもよい。これにより、ライセンス情報管理システムの構成の自由度が向上するようになり、その採用可能性の向上が図られるようになる。
【０１１９】
・上記各実施形態では、配信アプリケーション１１１が１個だけの場合について例示したが、これに限らず、配信アプリケーションは複数でもよい。配信アプリケーションが複
数であれ、それぞれの配信型アプリケーションに割符からなる実行権情報をそれぞれ生成し、車載機ではそれぞれの該実行権情報に基づいてそれぞれの配信型アプリケーションのライセンスの認証をそれぞれ行うようにしてもよい。これにより、ライセンス情報管理システムとしての利用可能性が高められる。
【０１２０】
・上記各実施形態では、各通信部（１３，２０，３０，４０）がそれぞれ直接通信するような場合について例示した。しかし、これに限らず、各通信部は、電話回線のような公衆回線を用いて通信してもよいし、インターネットのような通信回線を介して通信してもよい。インターネットなどの通信回線を介して割符体（割符）を取得できるようになれば、接続先が拡がることなどにより、割符の取得の自由度が高められるようになる。
【０１２１】
・上記各実施形態では、実行権情報１１２が通信により配布される場合について例示した。しかしこれに限らず、配信アプリケーションの購入とともに得られるパッケージやライセンスカードに記載されていてもよい。これにより、このライセンス情報管理システムの適用可能性を拡張させることができるようになる。
【０１２２】
・上記各実施形態では、実行権情報１１２を区分して再配布用実行権情報２２０，３１０を編成するようにした。しかしこれに限らず、実行権情報を区分した再配布用実行権情報に配布先の情報や、配布元の情報などを付加してもよい。これにより、再配布用実行権情報の管理性を向上させることができ、再配布用実行権情報の適正な利用が図られるようにもなる。
【０１２３】
・上記第１の実施形態では、実行権情報１１２の全ての割符１〜１０が略同じ大きさに生成されている場合について例示した。しかしこれに限らず、実行権情報には、大きさの異なる割符が含まれてもよい。例えば、図１５に示すように、実行権情報に、同じ大きさの割符１〜８と、割符１〜８とは異なる大きさの割符１Ｂとが含まれていてもよい。この場合、ライセンスの認証の自由度を確保しつつ、割符の大きさにより割符の利用条件を設定するなどしてライセンスの利用の適切性を高めることができるようになる。
【０１２４】
・上記各実施形態では、実行権情報１１２が３個の割符体に区分される場合について例示した。しかしこれに限らず、実行権情報は、２つに区分されても、４つ以上に区分されてもよい。また、限定実行権情報が編成されなくてもよい。これにより、実行権情報の分割の自由度が向上される。
【０１２５】
・上記第１の実施形態では、ライセンス情報１２０が略同じ大きさの１０個の割符１〜１０に分割される場合について例示した。しかし、これに限らず、ライセンス情報１２０が９個以下に分割されても、１１個以上に分割されてもよい。これにより、ライセンスの認証の自由度が向上するようになる。
【０１２６】
・上記各実施形態では、ライセンスの認証に必要とされる割符の数（大きさ）は、配信アプリケーション１１１に設定されている場合について例示した。しかしこれに限らず、ライセンスの認証に必要とされる割符の数（大きさ）は、別途、伝達されたりしてもよい。これにより、配信アプリケーションの設計の自由度や、ライセンスの認証の自由度が向上するようになる。
【０１２７】
・上記各実施形態では、ライセンスの認証に必要とされる割符の数（大きさ）は、予め設定されている場合について例示した。しかしこれに限らず、ライセンスの認証に必要とされる割符の数（大きさ）は、後から変更してもよい。例えば、配信アプリケーション１１１をアップデートすることなどにより変更することができるようにもなる。これにより、配信アプリケーションの設計の自由度や、ライセンスの認証の自由度が向上するように
なる。
【０１２８】
・上記各実施形態では、割符体に含まれる割符１〜１０の数や大きさが、ライセンス認証の対象とするアプリケーションに対する実行権限に応じて定められる場合について例示したが、これに限らず、アプリケーションに対する実行権限に応じた種類を割符体に与えるようにしてもよい。例えば、このような種類を割符体の大きさにて与えるようにすることもできる。
【０１２９】
・上記各実施形態では、配信アプリケーション１１１の全機能モードに実行権情報１１２に含まれる割符の一部を用いる場合について例示したが、これに限らず、配信アプリケーションの全機能モードに実行権情報に含まれる割符の全てを用いるようにしてもよい。これにより、従来のライセンス認証と同様のライセンスの認証を行うことができるようにもなる。
【０１３０】
・上記各実施形態では、管理センタ１Ｃから配信された配信アプリケーション１１１のライセンスの認証を行う場合につて例示したが、これに限らず、ライセンス認証の行われるアプリケーションは、車両に予め備えられているものであったり、処理結果のみが通知されるようなものであったりしてもよい。これにより、ライセンス情報管理システムの適用可能性が拡張されるようになる。
【０１３１】
・上記各実施形態では、車載機２Ｂ，４Ｂ，５Ｂがナビゲーションシステムである場合について例示した。しかしこれに限らず、車載機としては、車両に備えられている各種の車両制御装置や、音響製品などの情報処理装置などでもよい。これにより、このライセンス情報管理システムを、車載機器に対して広く適用することができるようになる。
【０１３２】
・上記各実施形態では、車載機２Ｂ，４Ｂ，５Ｂを情報処理装置とする場合について例示した。しかしこれに限らず、情報処理装置としては、人が持ち運ぶ携帯電話や情報端末などでもよい。これにより、このライセンス情報管理システムを提供することのできる情報処理装置の種類が拡がり、それら情報処理装置の利便性を向上させることができるようになる。
【符号の説明】
【０１３３】
１〜１０，９α，１０α…割符、１Ａ，１Ｂ，１Ｂα…割符、１Ｃ…管理センタ、２Ａ…車両、２Ｂ…車載機、３Ａ…モバイルデバイス、４Ａ…車両、４Ｂ…車載機、５Ａ…車両、５Ｂ…車載機、１１…配信アプリケーション管理部、１２…実行権生成部、１３…配信用通信部、２０…通信部、２１…配信アプリケーション実行部、２２…再配布用実行権生成部、３０…通信部、３１…再配布用実行権生成部、４０…通信部、４１…配信アプリケーション実行部、６０，６１…実行権情報、６２，６３…再配布用実行権情報、６４…限定実行権情報、６５…一時実行権情報、１１１…配信アプリケーション、１１２…実行権情報、１２０…ライセンス情報、２１１…実行権情報、２１２…実行権判定部、２２０，３１０…再配布用実行権情報、３１１…限定実行権情報、３１２…一時実行権情報、４１０…実行権判定部。
【図１】
0005678633.tif 000002
【図２】
0005678633.tif 000003
【図３】
0005678633.tif 000004
【図４】
0005678633.tif 000005
【図５】
0005678633.tif 000006
【図６】
0005678633.tif 000007
【図７】
0005678633.tif 000008
【図８】
0005678633.tif 000009
【図９】
0005678633.tif 000010
【図１０】
0005678633.tif 000011
【図１１】
0005678633.tif 000012
【図１２】
0005678633.tif 000013
【図１３】
0005678633.tif 000014
【図１４】
0005678633.tif 000015
【図１５】
0005678633.tif 000016